【手続補正書】
【提出日】平成18年5月11日(2006.5.11)
【手続補正１】
【補正対象書類名】特許請求の範囲
【補正対象項目名】全文
【補正方法】変更
【補正の内容】
【特許請求の範囲】
【請求項１】
映像信号に基づき画素の輝度を変調することで映像を表示する映像表示装置において、
上記映像信号に基づき画素の透過率を設定する映像表示手段と、
上記映像信号の垂直同期信号と同じ周波数を有し、上記映像信号の垂直周期のＤ％の時間を占めるとともに、該垂直周期内で表示される画素の発光強度のＳ１％の発光強度を有するパルス状の発光強度の波形を示す間欠光を発する第１光源体と、
上記垂直周期の全ての時間を占めるとともに、該垂直周期内で表示される画素の発光強度の（１００−Ｓ１）％の発光強度を有する持続光とを発する第２光源体とを備え、
上記間欠光と上記持続光とを混合して得られる照明光により、上記映像表示手段を照明するとともに、
尾引き量及びフリッカ量を、上記Ｓ１＝１００の場合における尾引き量及びフリッカ量より低減させるように、上記第１光源体及び上記第２光源体の発光を制御することを特徴とする映像表示装置。
【請求項２】
上記第１光源体の点灯／消灯を制御する第１光源体駆動手段と、
上記第２光源体の点灯／消灯を制御する第２光源体駆動手段とを備えていることを特徴とする請求項１に記載の映像表示装置。
【請求項３】
上記第１光源体駆動手段は、上記第１光源体に供給する電力、電流、および電圧のうち少なくとも１つを、上記映像信号に同期してスイッチングするものであることを特徴とする請求項２に記載の映像表示装置。
【請求項４】
上記第２光源体駆動手段は、上記第２光源体に、電力、電流、および電圧のうち少なくとも１つを一定の値にて供給するものであることを特徴とする請求項２または３に記載の映像表示装置。
【請求項５】
上記第２光源体駆動手段は、上記第２光源体に供給する電力、電流、および電圧のうち少なくとも１つを、上記映像信号の垂直周波数の３倍以上の周波数にて制御するものであることを特徴とする請求項２ないし４のいずれか１項に記載の映像表示装置。
【請求項６】
上記第２光源体駆動手段は、上記第２光源体に供給する電力、電流、および電圧のうち少なくとも１つを、１５０Ｈｚ以上の周波数にて制御するものであることを特徴とする請求項２ないし４のいずれか１項に記載の映像表示装置。
【請求項７】
上記第１光源体および上記第２光源体は、半導体発光素子であることを特徴とする請求項１ないし６のいずれか１項に記載の映像表示装置。
【請求項８】
上記半導体発光素子は、発光ダイオードであることを特徴とする請求項７に記載の映像表示装置。
【請求項９】
上記第２光源体は、上記第１光源体とは異なる発光原理により上記持続光を発するものであることを特徴とする請求項１ないし６のいずれか１項に記載の映像表示装置。
【請求項１０】
上記第１光源体および上記第２光源体の少なくとも一方は、半導体発光素子であることを特徴とする請求項９に記載の映像表示装置。
【請求項１１】
上記半導体発光素子は、発光ダイオードであることを特徴とする請求項１０に記載の映像表示装置。
【請求項１２】
上記第２光源体は、冷陰極管蛍光灯であることを特徴とする請求項９に記載の映像表示装置。
【手続補正２】
【補正対象書類名】明細書
【補正対象項目名】発明の名称
【補正方法】変更
【補正の内容】
【発明の名称】映像表示装置
【手続補正３】
【補正対象書類名】明細書
【補正対象項目名】００２９
【補正方法】変更
【補正の内容】
【００２９】
本発明は、上記従来の問題点に鑑みなされたものであって、トレードオフの関係にある動画尾引きとフリッカ妨害とを同時に改善し得る映像表示装置を提供することを目的としている。
【手続補正４】
【補正対象書類名】明細書
【補正対象項目名】００３０
【補正方法】変更
【補正の内容】
【００３０】
本願の第１の発明は、映像信号に基づき画素の輝度を変調することで映像を表示する映像表示装置において、上記映像信号に基づき画素の透過率を設定する映像表示手段と、上記映像信号の垂直同期信号と同じ周波数を有し、上記映像信号の垂直周期のＤ％の時間を占めるとともに、該垂直周期内で表示される画素の発光強度のＳ１％の発光強度を有するパルス状の発光強度の波形を示す間欠光を発する第１光源体と、上記垂直周期の全ての時間を占めるとともに、該垂直周期内で表示される画素の発光強度の（１００−Ｓ１）％の発光強度を有する持続光とを発する第２光源体とを備え、上記間欠光と上記持続光とを混合して得られる照明光により、上記映像表示手段を照明するとともに、尾引き量及びフリッカ量を、上記Ｓ１＝１００の場合における尾引き量及びフリッカ量より低減させるように、上記第１光源体及び上記第２光源体の発光を制御することを特徴とする。
【手続補正５】
【補正対象書類名】明細書
【補正対象項目名】００３１
【補正方法】変更
【補正の内容】
【００３１】
本願の第２の発明は、上記第１光源体の点灯／消灯を制御する第１光源体駆動手段と、上記第２光源体の点灯／消灯を制御する第２光源体駆動手段とを備えていることを特徴とする。
【手続補正６】
【補正対象書類名】明細書
【補正対象項目名】００３２
【補正方法】変更
【補正の内容】
【００３２】
本願の第３の発明は、上記第１光源体駆動手段が、上記第１光源体に供給する電力、電流、および電圧のうち少なくとも１つを、上記映像信号に同期してスイッチングするものであることを特徴とする。
【手続補正７】
【補正対象書類名】明細書
【補正対象項目名】００３３
【補正方法】変更
【補正の内容】
【００３３】
本願の第４の発明は、上記第２光源体駆動手段が、上記第２光源体に、電力、電流、および電圧のうち少なくとも１つを一定の値にて供給するものであることを特徴とする。
【手続補正８】
【補正対象書類名】明細書
【補正対象項目名】００３４
【補正方法】変更
【補正の内容】
【００３４】
本願の第５の発明は、上記第２光源体駆動手段が、上記第２光源体に供給する電力、電流、および電圧のうち少なくとも１つを、上記映像信号の垂直周波数の３倍以上の周波数にて制御するものであることを特徴とする。
【手続補正９】
【補正対象書類名】明細書
【補正対象項目名】００３５
【補正方法】変更
【補正の内容】
【００３５】
本願の第６の発明は、上記第２光源体駆動手段が、上記第２光源体に供給する電力、電流、および電圧のうち少なくとも１つを、１５０Ｈｚ以上の周波数にて制御するものであることを特徴とする。
【手続補正１０】
【補正対象書類名】明細書
【補正対象項目名】００３６
【補正方法】変更
【補正の内容】
【００３６】
本願の第７の発明は、上記第１光源体および上記第２光源体が、半導体発光素子であることを特徴とする。
【手続補正１１】
【補正対象書類名】明細書
【補正対象項目名】００３７
【補正方法】変更
【補正の内容】
【００３７】
本願の第８の発明は、上記半導体発光素子が、発光ダイオードであることを特徴とする。
【手続補正１２】
【補正対象書類名】明細書
【補正対象項目名】００３８
【補正方法】変更
【補正の内容】
【００３８】
本願の第９の発明は、上記第２光源体が、上記第１光源体とは異なる発光原理により上記持続光を発するものであることを特徴とする。
【手続補正１３】
【補正対象書類名】明細書
【補正対象項目名】００３９
【補正方法】変更
【補正の内容】
【００３９】
本願の第１０の発明は、上記第１光源体および上記第２光源体の少なくとも一方が、半導体発光素子であることを特徴とする。
【手続補正１４】
【補正対象書類名】明細書
【補正対象項目名】００４０
【補正方法】変更
【補正の内容】
【００４０】
本願の第１１の発明は、上記半導体発光素子は、発光ダイオードであることを特徴とする。
【手続補正１５】
【補正対象書類名】明細書
【補正対象項目名】００４１
【補正方法】変更
【補正の内容】
【００４１】
本願の第１２の発明は、上記第２光源体が、冷陰極管蛍光灯であることを特徴とする。
【手続補正１６】
【補正対象書類名】明細書
【補正対象項目名】００４２
【補正方法】削除
【補正の内容】
【手続補正１７】
【補正対象書類名】明細書
【補正対象項目名】００４３
【補正方法】変更
【補正の内容】
【００４３】
本発明の映像表示装置は、上述のとおり、間欠光および持続光により映像表示光を得るので、動画尾引きの改善とフリッカ妨害の低減との両立を実現することが可能となる。ここで、フリッカ妨害は、単に視聴者に不快感を与えるだけでなく、注意力や作業効率の低下を招いたり、目の疲労など健康に悪影響を及ぼすが、本発明の映像表示装置によれば、それらの悪影響を防ぐことができる。さらに、フリッカ妨害を低減することは、高輝度化・大画面化された映像表示装置における表示品位を向上するために不可欠である。このように、本発明によれば、動画尾引きを改善しつつフリッカ妨害を低減して、観察者に最適な表示品位を提供することが可能となる。